(57)【要約】【課題】電気・電子部品を保守部品として寿命管理して常時使用可能な状態で保管すると共に、部品寿命に応じて出荷後の十分な充電残量及び部品寿命を管理する保管管理システムを提供する。【解決手段】診断センター１がベンダー１００からバッテリー搭載の電気・電子部品を受付ける部品受付部１１と、バッテリー状態を診断する状態診断部１２と、バッテリー充電及び／又は交換を実施する改善対処部１３と、この実施結果を診断情報１５に登録する更新登録部１４と、バッテリー交換時期に新規バッテリーを手配する新規バッテリー手配部１６を備え、保管センター２が電気・電子部品を受付管理する受付管理部２１と、バッテリー寿命を寿命情報２３に管理する寿命管理部２２と、バッテリー有効期限を検知する有効期限検知部２４と、出荷要求を受付ける出荷受付部２５と、出荷要求時にこの有効期限から客先２００への出荷又は診断センター１への搬送を行う搬送部２６を備える。【選択図】    図１
2009237761.tif 000002
【特許請求の範囲】
【請求項１】
バッテリーを搭載した電気・電子部品が搬入され、当該電気・電子部品の電気特性を診断手段が診断した後に保管手段に保管する保管管理システムにおいて、
前記診断手段が、前記電気・電子部品を受付ける部品受付部と、当該電気・電子部品に搭載されたバッテリーの状態を診断する状態診断部と、当該診断の結果に基づいて当該バッテリーの充電及び／又は交換による改善対処を実施する改善対処部と、当該診断及び／又は当該改善対処の結果を更新登録する更新登録部とを備え、
前記保管手段が、前記診断手段から前記電気・電子部品を受付けて管理する受付管理部と、当該電気・電子部品に搭載されたバッテリーの寿命情報を管理する寿命管理部と、当該寿命情報に基づいて当該バッテリーの有効期限を検知する有効期限検知部と、前記電気・電子部品について客先からの出荷要求があった場合に、当該バッテリーの検知された有効期限に基づいて客先への出荷又は前記診断手段への搬送を実行する搬送部とを備えることを
特徴とする保管管理システム。
【請求項２】
請求項１に記載の保管管理システムにおいて、
前記電気・電子部品にバッテリーの製造年月、寿命、アラーム出力年月、部品名称、部品仕様及び版数のうちいずれか複数を記録するＲＦＩＤを前記バッテリーに少なくとも搭載し、
前記保管手段が、前記診断手段からの前記電気・電子部品の受付時にバッテリーの前記寿命情報を前記ＲＦＩＤの記録内容に基づいて記録及び蓄積することを
特徴とする保管管理システム。
【請求項３】
請求項２に記載の保管管理システムにおいて、
前記診断手段が、寿命日の所定期間前の前記電気・電子部品に対して前記有効期限検知部が検出したバッテリーの交換時期に基づいて、当該電気・電子部品に搭載可能な新規バッテリーの手配を行う新規バッテリー手配部を備えることを
特徴とする保管管理システム。
【請求項４】
請求項３に記載の保管管理システムにおいて、
前記診断手段が、前記新規バッテリーの手配による入荷に基づいて当該新規バッテリーの搭載を予定する前記電気・電子部品の出荷依頼を前記保管手段へ出力し、当該新規バッテリーの搭載を完了した前記電気・電子部品を前記保管手段へ搬送し、ＲＦＩＤに記録された情報のうち当該新規バッテリーの搭載に伴い更新された情報を更新することを
特徴とする保管管理システム。
【請求項５】
請求項４に記載の保管管理システムにおいて、
前記保管手段が、保管中の前記電気・電子部品におけるバッテリー状態を前記診断手段に対して診断の実行を指令し、当該診断結果に基づいて内容を更新されたＲＦＩＤとともに前記診断手段からの前記電気・電子部品を受付けることを
特徴とする保管管理システム。
【請求項６】
バッテリーを搭載した電気・電子部品が搬入され、当該電気・電子部品の電気特性を診断工程が診断した後に保管工程に保管する保管管理方法において、
前記診断工程が、前記電気・電子部品を受付け、当該電気・電子部品に搭載されたバッテリーの状態を診断し、当該診断の結果に基づいて当該バッテリーの充電及び／又は交換による改善対処を実施し、当該診断及び／又は当該改善対処の結果を更新登録し、
前記保管工程が、前記診断工程から前記電気・電子部品を受付けて管理し、当該電気・電子部品に搭載されたバッテリーの寿命情報を管理し、当該寿命情報に基づいて当該バッテリーの有効期限を検知し、前記電気・電子部品について客先からの出荷要求があった場合に、当該バッテリーの検知された有効期限に基づいて客先への出荷又は前記診断手段への搬送を実行することを
特徴とする保管管理方法。
【請求項７】
バッテリーを搭載した電気・電子部品が搬入され、当該電気・電子部品の電気特性を診断手段が診断した後に保管手段に保管するようにコンピュータを機能させる保管管理プログラムにおいて、
前記診断手段が、前記電気・電子部品を受付ける部品受付部と、当該電気・電子部品に搭載されたバッテリーの状態を診断する状態診断部と、当該診断の結果に基づいて当該バッテリーの充電及び／又は交換による改善対処を実施する改善対処部と、当該診断及び／又は当該改善対処の結果を更新登録する更新登録部としてコンピュータを機能させ、
前記保管手段が、前記診断手段から前記電気・電子部品を受付けて管理する受付管理部と、当該電気・電子部品に搭載されたバッテリーの寿命情報を管理する寿命管理部と、当該寿命情報に基づいて当該バッテリーの有効期限を検知する有効期限検知部と、前記電気・電子部品について客先からの出荷要求があった場合に、当該バッテリーの検知された有効期限に基づいて客先への出荷又は前記診断手段への搬送を実行する搬送部としてコンピュータを機能させることを
特徴とする保管管理プログラム。
【発明の詳細な説明】
【技術分野】
【０００１】
本発明は、バッテリーを搭載した電気・電子部品のバッテリー寿命管理を行う保管管理システムに関し、特にバッテリー寿命管理を電気・電子部品について診断して改善対処後に保管管理する保管管理システムに関する。
【背景技術】
【０００２】
バッテリーを搭載した電気・電子部品、例えばマザーボード等のプリント基板は、時計機能及び情報メモリ機能を作動・維持するために電気エネルギーを保管時においても消費するという特性を有する。この保管管理に関して、バッテリーは、保管中であっても残量が経時的に減少する特性から、出荷時に残量切れとならないように保管中のバッテリー交換も視野に入れて保管管理される必要がある。
【０００３】
万が一、保管状態から出荷したバッテリーが残量切れの場合には、この電気・電子部品を含む電気機器に長時間ダウン障害を誘発する虞がある。この障害が発生した場合には、電気機器の保守作業者は、障害の発生した電気機器の一刻も早い復旧が要求される。このため保守作業者は、残量切れのバッテリーに他の機能的な異常が検知されない場合には、このバッテリーを使ってこの電気機器を暫定的に修復し、後日新しいバッテリーを搭載された電気・電子部品とこのバッテリーを搭載された電気・電子部品とを交換するという二重の工数をかけた作業を行っているのが現状である。電気機器の保守用部品の管理者は、この二重の工数を発生させることのないように稼動可能なバッテリーを搭載された電気・電子部品を常時保管管理する必要がある。この保管管理に関して背景技術は、〔特許文献１〕、〔特許文献２〕、〔特許文献３〕、〔特許文献４〕に開示されるものがある。
【０００４】
〔特許文献１〕は、機器に取り付けられたＲＦＩＤに部品の交換時期や機器の調整データが記憶され、このＲＦＩＤに基づいて部品の交換時期の通知や部品交換時の調整データの書き換えを行うものである。また、〔特許文献２〕は、部品の累積稼動時間を部品寿命として設定し、部品の在庫切れの通知や部品の交換忘れをアラームとして通知するものである。
【０００５】
また、〔特許文献３〕は、製品ごとの鮮度基準情報を保持し、入荷時に設定した鮮度管理基準を超過した在庫が発生した場合に警告を発生するものである。また、〔特許文献４〕は、製品の再製品化可能期限情報を有し、回収された製品が再製品化可能範囲か否かを判断し、再製品化できないと判断した場合は分解し、この分解により生じる構成品の再利用を判定し、再利用できないと判定した場合はこの構成品の適応可能なリサイクル方法を判定させるシステムである。
【特許文献１】特開２００２―２５９５９５号公報
【特許文献２】特開２００１―８４０２１号公報
【特許文献３】特開平０７―３２５８７２号公報
【特許文献４】特開２００２―２５９５５３号公報
【発明の開示】
【発明が解決しようとする課題】
【０００６】
従来技術では、バッテリーを搭載される電気・電子部品を保管管理する場合には、バッテリーの交換期限の到達を通知し、交換期限を超過した電気・電子部品の処理方法まで判断するが、バッテリー単体に対する寿命管理は行っていないという課題を有する。このためバッテリーを搭載する電気・電子部品の残りの使用期間が明確でないことから、この電気・電子部品の保守実施者及び顧客は、保守作業に対する不安が残る。また、バッテリーは、修理依頼時に実施される残量チェックにより残量の無い場合には交換されるが、残量の有る場合は交換されないという課題を有する。
【０００７】
即ち、従来技術は、保守用部品として保管するバッテリーに対してバッテリー機能の消費による寿命を通知する機能と保守部品としての寿命を通知する２つの通知機能が必要にも関わらず、バッテリー機能の消費による寿命の通知機能しか備わっていない。このように、従来技術は、保守部品として常に使用可能な状態で電気・電子部品を管理するシステムではないために、バッテリーを必要とする機器、例えばコンピュータ等、の機器障害が発生した場合には、緊急で必要とされるバッテリーが寿命切れの状態のために機器修復を即座に実施できない虞がある。また、このバッテリーは、保管中に残量及び寿命状況を管理されないために、保管状態から出荷したバッテリーが残量切れとなる虞もあり、出荷時にこの電気・電子部品を含む電気機器に長時間ダウン障害を誘発する虞もある。
【０００８】
本発明は前記課題を解消するためになされたもので、保守部品としての寿命を管理し、倉庫に常時使用可能な状態で電気・電子部品を保管すると共に、電気・電子部品の寿命に応じて電気・電子部品の出荷後に十分な充電残量及び部品寿命を管理することを可能とする保管管理システムを提供することを目的とする。
【課題を解決するための手段】
【０００９】
本発明に係る保管管理システムは、バッテリーを搭載した電気・電子部品が搬入され、当該電気・電子部品の電気特性を診断手段が診断した後に保管手段に保管する保管管理システムにおいて、前記診断手段が、前記電気・電子部品を受付ける部品受付部と、当該電気・電子部品に搭載されたバッテリーの状態を診断する状態診断部と、当該診断の結果に基づいて当該バッテリーの充電及び／又は交換による改善対処を実施する改善対処部と、当該診断及び／又は当該改善対処の結果を更新登録する更新登録部とを備え、前記保管手段が、前記診断手段から前記電気・電子部品を受付けて管理する受付管理部と、当該電気・電子部品に搭載されたバッテリーの寿命情報を管理する寿命管理部と、当該寿命情報に基づいて当該バッテリーの有効期限を検知する有効期限検知部と、前記電気・電子部品について客先からの出荷要求があった場合に、当該バッテリーの検知された有効期限に基づいて客先への出荷又は前記診断手段への搬送を実行する搬送部とを備えるものである。
【００１０】
このように本発明によれば、診断手段が、前記電気・電子部品を受付ける部品受付部と、当該電気・電子部品に搭載されたバッテリーの状態を診断する状態診断部と、当該診断の結果に基づいて当該バッテリーの充電及び／又は交換による改善対処を実施する改善対処部と、当該診断及び／又は当該改善対処の結果を更新登録する更新登録部とを備え、前記保管手段が、前記診断手段から前記電気・電子部品を受付けて管理する受付管理部と、当該電気・電子部品に搭載されたバッテリーの寿命情報を管理する寿命管理部と、当該寿命情報に基づいて当該バッテリーの有効期限を検知する有効期限検知部と、前記電気・電子部品について客先からの出荷要求があった場合に、当該バッテリーの検知された有効期限に基づいて客先への出荷又は前記診断手段への搬送を実行する搬送部とを備えることから、前記保管手段が前記電気・電子部品のバッテリー寿命を常時管理することとなり、常時使用可能な状態で前記電気・電子部品を保管することができる。
【００１１】
また、本発明に係る保管管理システムは必要に応じて、前記電気・電子部品にバッテリーの製造年月、寿命、アラーム出力年月、部品名称、部品仕様及び版数のうちいずれか複数を記録するＲＦＩＤを前記バッテリーに少なくとも搭載し、前記保管手段が、前記診断手段からの前記電気・電子部品の受付時にバッテリーの前記寿命情報を前記ＲＦＩＤの記録内容に基づいて記録及び蓄積するものである。このように本発明によれば、前記電気・電子部品にバッテリーの製造年月、寿命、アラーム出力年月、部品名称、部品仕様及び版数のうちいずれか複数を記録するＲＦＩＤを前記バッテリーに少なくとも搭載し、前記保管手段が、前記診断手段からの前記電気・電子部品の受付時にバッテリーの前記寿命情報を前記ＲＦＩＤの記録内容に基づいて記録及び蓄積することから、ＲＦＩＤの記録内容に基づいて多種多様で膨大な電気・電子部品に搭載されるバッテリーの寿命を管理することとなり、人手による管理よりも作業負荷が軽減され、より迅速で正確性の高い管理を行うことができる。
【００１２】
また、本発明に係る保管管理システムは必要に応じて、前記診断手段が、寿命日の所定期間前の前記電気・電子部品に対して前記有効期限検知部が検出したバッテリーの交換時期に基づいて、当該電気・電子部品に搭載可能な新規バッテリーの手配を行う新規バッテリー手配部を備えるものである。このように本発明によれば、前記診断手段が、寿命日の所定期間前の前記電気・電子部品に対して前記有効期限検知部が検出したバッテリーの交換時期に基づいて、当該電気・電子部品に搭載可能な新規バッテリーの手配を行う新規バッテリー手配部を備えることから、バッテリーの交換時期が近づくと新規バッテリー手配部が新規バッテリーの手配を行うこととなり、バッテリーの交換忘れを未然に防ぐことができる。さらに必要なバッテリーを常時確保することとなり、バッテリー入荷待ちの状態を無くすることにより電気・電子部品を常に使用可能な状態に維持することができる。
【００１３】
また、本発明に係る保管管理システムは必要に応じて、前記診断手段が、前記新規バッテリーの手配による入荷に基づいて当該新規バッテリーの搭載を予定する前記電気・電子部品の出荷依頼を前記保管手段へ出力し、当該新規バッテリーの搭載を完了した前記電気・電子部品を前記保管手段へ搬送し、ＲＦＩＤに記録された情報のうち当該新規バッテリーの搭載に伴い更新された情報を更新するものである。このように本発明によれば、前記診断手段が、前記新規バッテリーの手配による入荷に基づいて当該新規バッテリーの搭載を予定する前記電気・電子部品の出荷依頼を前記保管手段へ出力し、当該新規バッテリーの搭載を完了した前記電気・電子部品を前記保管手段へ搬送し、ＲＦＩＤに記録された情報のうち当該新規バッテリーの搭載に伴い更新された情報を更新することから、前記診断手段が入荷時にバッテリーの状態診断と共に、前記保管手段で出荷直前にバッテリーの有効期限を検知するという二重の診断・検知動作をサイクリックに実行し、前記電気・電子部品に搭載された新規バッテリーの更新情報をＲＦＩＤに記録することでＲＦＩＤに常に最新の情報を記録されることとなり、バッテリーの寿命管理を漏れ無く行うことができる。
【００１４】
また、本発明に係る保管管理システムは必要に応じて、前記保管手段が、保管中の前記電気・電子部品におけるバッテリー状態を前記診断手段に対して診断の実行を指令し、当該診断結果に基づいて内容を更新されたＲＦＩＤとともに前記診断手段からの前記電気・電子部品を受付けるものである。このように本発明によれば、前記保管手段が、保管中の前記電気・電子部品におけるバッテリー状態を前記診断手段に対して診断の実行を指令し、当該診断結果に基づいて内容を更新されたＲＦＩＤとともに前記診断手段からの前記電気・電子部品を受付けることから、前記保管手段が前記電気・電子部品のバッテリー寿命を出庫の有無に関わらず定期的に診断することとなり、常時使用可能な状態で前記電気・電子部品を保管することができる。
【発明を実施するための最良の形態】
【００１５】
（本発明の第１の実施形態）
以下、本発明の第１の実施形態に係る保管管理システムを、図１から図６に基づいて説明する。この図１は本発明の第１の実施形態に係る保管管理システムの構成を示すブロック図、図２は図１に記載された保管管理システムのデータ例、図３は図１に記載された保管管理システムの電気・電子部品の構成図、図４は図１に記載された保管管理システムの入庫時のフローチャート、図５は図１に記載された保管管理システムの保管中のフローチャート、図６は図１に記載された保管管理システムのバッテリー残量確認のフローチャートを示す。
【００１６】
図１において、第１の実施形態に係る保管管理システムは、バッテリーを搭載した電気・電子部品がベンダー１００から搬入され、この電気・電子部品の電気特性を診断手段が診断する診断センター１と、この診断センター１により診断された電気・電子部品を保管する保管センター２から構成される。
【００１７】
前記診断センター１は、電気・電子部品を受付ける部品受付部１１と、この電気・電子部品に搭載されたバッテリーの状態を診断する状態診断部１２と、この診断の結果に基づいてバッテリーの充電及び／又は交換による改善対処を実施する改善対処部１３と、この診断及び／又はこの改善対処の結果を更新登録する更新登録部１４と、この更新登録部１４によるこの更新登録の結果を記録される診断情報１５と、前記保管センター２が検出したバッテリーの交換時期に基づいてバッテリー交換される電気・電子部品に搭載可能な新規バッテリーの手配を行う新規バッテリー手配部１６を備える構成である。
【００１８】
また、前記保管センター２は、前記診断センター１から前記電気・電子部品を受付けて管理する受付管理部２１と、この電気・電子部品に搭載されたバッテリーの寿命情報を管理する寿命管理部２２と、この寿命情報を記録される寿命情報２３と、この寿命情報２３に基づいてバッテリーの有効期限を検知する有効期限検知部２４と、前記電気・電子部品について客先２００からの出荷要求を受付ける出荷受付部２５と、この出荷要求を受けてこのバッテリーの検知された有効期限に基づいて客先２００への出荷又は前記診断センター１への搬送を実行する搬送部２６とを備える構成である。
【００１９】
また、前記診断情報１５は、図２（ａ）に示すように、部品図番項目、部品製造番号項目、バッテリー図番項目、バッテリー製造年月日項目、バッテリー製造ロット項目、バッテリー寿命年月項目、保管時バッテリー交換指示日項目、残量確認日項目及び残量確認結果項目から構成することができる。
【００２０】
この部品図番項目は、バッテリーを搭載された電気・電子部品の図番を示す。また、この部品製造番号項目は、この電気・電子部品の製造番号を示す。また、このバッテリー図番項目は、このバッテリーの図番を示す。また、このバッテリー製造年月日項目は、このバッテリーの製造年月日を示す。また、このバッテリー製造ロット項目は、このバッテリーの製造ロットを示す。また、このバッテリー寿命年月項目は、このバッテリーの寿命となる年月を示す。また、この保管時バッテリー交換指示日項目は、前記保管センター２の保管時におけるこのバッテリーの交換指示日を示す。また、この残量確認日項目は、このバッテリーの残量を確認した最新の日にちを示す。また、この残量確認結果項目は、この最新の残量確認日におけるバッテリー残量の確認結果を示す。
また、前記寿命情報２３は、同図（ｂ）に示すように、バッテリー図番項目、寿命予定項目、保管時交換指示項目及び部品図番項目から構成することができる。
【００２１】
このバッテリー図番項目及びこの部品図番項目は、前記診断情報１５の前記バッテリー図番項目と同内容であり、このバッテリー及びこの電気・電子部品の図番を示す。この寿命予定項目は、バッテリー寿命が到達する時期の予定を示す。また、この保管時交換指示項目は、前記保管センター２の保管時におけるこのバッテリーの交換指示が発生する時期の予定を示す。
【００２２】
また、電気・電子部品は、図３に示すように、プリント基板としての電気・電子部品３０と、この電気・電子部品３０に搭載されるバッテリー３１と、ＲＦＩＤ３２から構成される。このＲＦＩＤ３２は、このバッテリー３１に装着されることができ、さらに、この電気・電子部品３０に装着されることもできる。このバッテリー３１及びこの電気・電子部品３０の双方にＲＦＩＤ３２を装着される場合には、この電気・電子部品３０と適合可能なバッテリー３１との適合可能関係を双方のＲＦＩＤ３２に定義可能なこととなり、電気・電子部品３０に適合するバッテリーを容易に特定でき、適合しないバッテリーの搭載を低減することができる。
【００２３】
以下、前記構成に基づく本実施形態の保管管理システムのシステム動作について説明する。
まず、診断センター１は、図４に示すように、部品受付部１１がベンダー１００から電気・電子部品を受付け、ＲＦＩＤを貼り付ける（Ｓ１）。前記部品受付部１１は、図４に示すように、このＲＦＩＤの貼り付け後、このバッテリーを電気・電子部品に搭載する（Ｓ２）。この搭載後、状態診断部１２は、バッテリーと電気・電子部品の適合を照合し、電気・電子部品に対応したバッテリーかを判断する（Ｓ３）。
【００２４】
状態診断部１２は、このＳ３で適合と判断した場合には、電気・電子部品を保管センター２へ搬送する（Ｓ４）。保管センター２は、受付管理部２１がこの電気・電子部品を受付ける。この受付に基づいて、寿命管理部２２は、寿命情報２３にバッテリーに関する詳細情報を登録する。また、この状態診断部１２は、前記Ｓ３で不適合と判断した場合には、電気・電子部品に適合するバッテリーと取替えを行う（Ｓ５）。
【００２５】
また、保管センター２は、図５に示すように、電気・電子部品を客先２００から出荷要求（Ｓ１１）を受けずに保管する場合、有効期限検知部２４が、保管するバッテリーの交換指示日に到達したか否かを確認する（Ｓ１２）。この有効期限検知部２４は、この確認によりバッテリー交換指示日に到達した電気・電子部品を前記受付管理部２１に通知する。この通知を受けた前記受付管理部２１は、前記診断センター１の前記部品受付部１１に通知する。
【００２６】
この通知を受けた前記診断センター１は、新規バッテリー手配部１６がバッテリー交換指示日に到達した電気・電子部品に適合する新規バッテリーを手配する（Ｓ１３）。前記部品受付部１１は、ベンダー１００からこの新規バッテリーを入手し、前記状態診断部１２にバッテリー診断を依頼する。
【００２７】
前記状態診断部１２は、この診断後、前記改善対処部１３に旧バッテリーとの入替を依頼する（Ｓ１４）。前記改善対処部１３は、この入替を行い、前記保管センター２へ新規バッテリーを搭載された電気・電子部品を搬送し、旧バッテリーをリサイクル方法に従って処理する（Ｓ１５）。またこの入替完了時には、前記更新登録部１４は、診断情報１５にこの診断内容を記録する。
【００２８】
前記保管センター２は、搬送された電気・電子部品を前記受付管理部２１が受付ける。前記寿命管理部２２は、受付けた電気・電子部品に関して、寿命情報２３のこの電気・電子部品に該当する部品図番項目から新規バッテリーに関するバッテリー図番項目を更新し、更新されたバッテリー寿命に関して寿命予定項目及び保管時交換指示項目の内容を更新する（Ｓ１６）。前記保管センター２は、この更新記録後、新規バッテリー搭載の電気・電子部品を保管する（Ｓ１７）。
【００２９】
また、前記Ｓ１１において、客先２００から電気・電子部品の出荷要求を受けた場合、前記有効期限検知部２４は、寿命情報２３に基づいてこの電気・電子部品が出荷可能な状態か確認する。この確認によりバッテリー充電切れや故障等の出荷可能状態でない場合には、搬送部２６に前記診断センター１への搬送を依頼する。
【００３０】
この搬送部２６は、この依頼に基づいて前記診断センター１へ搬送を行う。前記診断センター１は、搬送された電気・電子部品を前記部品受付部１１にて受付け、前記状態診断部１２にてバッテリー状態を診断し、前記改善対処部１３にてバッテリー交換等の改善対処を実施し、前記更新登録部１４にて前記診断情報１５の内容を更新する。この後、前記診断センター１は、前記保管センター２へこの改善対処された電気・電子部品を搬送する。
【００３１】
前記受付管理部２１は、搬送された電気・電子部品を受付ける。前記寿命管理部２２は、前記寿命情報２３を更新し、この電気・電子部品に関する寿命情報２３の保管バッテリー交換指示日を削除する（Ｓ１８）。この後、前記搬送部２６は、客先２００へ搬送し出荷する（Ｓ１９）。
【００３２】
また、前記有効期限検知部２４は、前記Ｓ１１において、客先２００から電気・電子部品の出荷要求を受けた場合に、寿命情報２３に基づいてこの電気・電子部品が出荷可能な状態と確認した場合には、前記寿命管理部２２にこの出荷要求を通知する。この後、前記保管センター２は、前記Ｓ１８以降と同様の処理を行う。
【００３３】
また、保管センター２は、図６に示すように、有効期限検知部２４が保管開始から一定期間、例えば１年間、を経過したバッテリーを搭載する電気・電子部品の出庫を搬送部２６に指示することもできる（Ｓ２１）。この指示を受けて、この搬送部２６は、診断センター１へこの電気・電子部品を搬送する。
【００３４】
この診断センター１は、部品受付部１１が搬送された電気・電子部品を受付ける。状態診断部１２は、バッテリーチェッカーを用いてこの電気・電子部品のバッテリー残量を確認する（Ｓ２２）。状態診断部１２は、このバッテリー残量が十分か否か判断する（Ｓ２３）。
【００３５】
この判断により残量が十分な場合には、更新登録部１４は、ＲＦＩＤへ確認日を登録し、診断情報１５にこの診断内容を記録する（Ｓ２４）。この更新登録部１４は、前記図２（ａ）に示すように、部品図番項目及びバッテリー図番項目に基づいて診断情報１５のうちこの電気・電子部品に関する情報を特定し、特定されたこの電気・電子部品に関する情報に対して残量確認日項目に残量確認日を登録し、残量確認結果をＯＫとする内容に更新する。例えば、同図の例では、診断情報１５は、部品図番項目がＡａａｂｂｂｃｃｃ―ｘｘであり、バッテリー図番項目がＡａｂｂｃｃである電気・電子部品に対して、２００８年９月１７日にバッテリー残量確認を行った結果、残量が十分であるという結果を示す。
【００３６】
この後、前記状態診断部１２は、この電気・電子部品を保管センター２へ搬送する。この保管センター２は、受付管理部２１にてこの電気・電子部品を受付け、寿命管理部２２にてこの電気・電子部品に関する寿命情報２３の内容を更新して入庫処理を行う（Ｓ２５）。この寿命管理部２２は、前記図２（ｂ）に示すように、部品図番項目及びバッテリー図番項目に基づいて寿命情報２３のうちこの電気・電子部品に関する情報を特定し、特定されたこの電気・電子部品に関する情報に対して寿命予定項目及び保管時交換指示項目に変更がある場合に限り内容を更新し、この変更が無い場合には内容を変更なしとすることもできる。
【００３７】
この入庫処理以降、この保管センター２は、この電気・電子部品を保管する（Ｓ２６）。また、状態診断部１２は、前記Ｓ２３の判断により残量が不十分な場合には、このバッテリーの充電又は交換を改善対処部１３に依頼する（Ｓ２７）。
【００３８】
このように、前記診断センター１が入荷時にバッテリーの状態診断と共に、前記保管センター２で出荷直前にバッテリーの有効期限を検知するという二重の診断・検知動作をサイクリックに実行し、前記電気・電子部品に搭載された新規バッテリーの更新情報をＲＦＩＤに記録することでＲＦＩＤに常に最新の情報を記録されることとなり、バッテリーの寿命管理を漏れ無く行うことができる。
【００３９】
この改善対処部１３は、この依頼に基づいてこのバッテリーの充電又は交換の改善対処を実施する（Ｓ２７）。この改善対処部１３は、この改善対処後に、改善対処されたバッテリーを搭載された前記保管センター２へ電気・電子部品を搬送する。またこの改善対処時には、更新登録部１４は、診断情報１５にこの改善対処内容を記録する。
【００４０】
なお、本実施形態において、バッテリーを搭載する電気・電子部品をプリント基板としたが、この形態に限定されることはなく、広くバッテリーを搭載する電気・電子部品であれば種類を問わず適用可能である。
【００４１】
また、本実施形態に係る保管管理システムを構成する各機器のハードウエア構成は、ＣＰＵ、メモリ、大容量記憶装置、ディスプレイ、通信装置、キーボード、マウス、入力手段及び上記各部を接続するバスからなる。なお、本保管管理システムにおける各機器はいずれも同一のハードウエア構成を有するものとする。
【００４２】
（本発明のその他の実施形態）
本発明のその他の実施形態に係る保管管理システムとしては、前記第１の実施形態と同様に、前記診断センター１及び前記保管センター２から構成され、前記部品受付部１１と、前記状態診断部１２と、前記改善対処部１３と、前記更新登録部１４と、前記診断情報１５と、前記新規バッテリー手配部１６と、前記受付管理部２１と、前記寿命管理部２２と、前記寿命情報２３と、前記有効期限検知部２４と、前記出荷受付部２５と、前記搬送部２６とを備え、さらに電気・電子部品の入出庫状況に関する入出庫情報を追加するものである。この入出庫情報は、前記部品受付部１１により登録及び管理をなされるものである。
【００４３】
この入出庫情報は、図７に示すように、要求年月日項目、処理整理番号項目、出庫元項目、出庫先項目、要求者項目、要求元項目、部品図番項目、版数項目及び数量項目から構成される。
【００４４】
この要求年月日項目は、電気・電子部品の出荷を要求された年月日を示す。また、この処理整理番号項目は、電気・電子部品に割り振られる整理番号を示す。また、この出庫元項目は、電気・電子部品の出庫元を示す。また、この出庫先項目は、電気・電子部品の出庫先を示す。また、この要求者項目は、電気・電子部品の出荷を要求した要求者を示す。また、この要求元項目は、電気・電子部品の出荷を要求した要求元を示す。また、この部品図番項目は、電気・電子部品の図番を示す。また、この版数項目は、電気・電子部品の版数を示す。また、この数量項目は、電気・電子部品の管理する数量を示す。
【００４５】
以下、前記構成に基づく本実施形態の保管管理システムのシステム動作について入出庫情報に関連する部分を説明する。
まず、前記部品受付部１１は、前記第１の実施形態の図４に記載したＳ１と同様に、ベンダー１００から電気・電子部品を受付けてＲＦＩＤを貼り付ける。この電気・電子部品の受付とともに、前記入出庫情報に、受付された電気・電子部品の部品図番等の詳細情報を登録し、さらにこのベンダー１００を出庫元として登録する。前記入出庫情報は、図７の例では、このベンダー１００を出庫元ＡＡＡとして登録されている。
【００４６】
また、保管センター２は、前記第１の実施形態の図５に記載したＳ１１と同様に、電気・電子部品を客先２００から出荷要求を受けた場合、前記診断センター１の前記部品受付部１１にこの出荷要求を通知する。前記部品受付部１１は、この出荷要求に基づいて、前記入出庫情報に、出荷要求された電気・電子部品の出荷情報としてこの客先２００を要求者として登録し、この出荷要求の発生した年月日を要求年月日として登録する。前記入出庫情報は、図７の例では、この客先２００である要求者ＣＣＣが、２００７年９月２０日に出荷要求したことを示す。
【００４７】
このように、前記入出庫情報の追加により、本保管管理システムは、電気・電子部品の入荷及び出荷に関して管理するとともに履歴情報を蓄積することとなり、需要予測及び製品特性を把握することができる。また、本保管管理システムは、一元的な管理情報を蓄積することとなり、保管管理システムの利用者にとって、多量多種の電気・電子部品を取扱い管理するパーツセンターにおいて、管理する電気・電子部品の管理状況を容易に把握することを可能とし、業務円滑化の支援を行うことができる。
【００４８】
（付記１）バッテリーを搭載した電気・電子部品が搬入され、当該電気・電子部品の電気特性を診断手段が診断した後に保管手段に保管する保管管理システムにおいて、前記診断手段が、前記電気・電子部品を受付ける部品受付部と、当該電気・電子部品に搭載されたバッテリーの状態を診断する状態診断部と、当該診断の結果に基づいて当該バッテリーの充電及び／又は交換による改善対処を実施する改善対処部と、当該診断及び／又は当該改善対処の結果を更新登録する更新登録部とを備え、前記保管手段が、前記診断手段から前記電気・電子部品を受付けて管理する受付管理部と、当該電気・電子部品に搭載されたバッテリーの寿命情報を管理する寿命管理部と、当該寿命情報に基づいて当該バッテリーの有効期限を検知する有効期限検知部と、前記電気・電子部品について客先からの出荷要求があった場合に、当該バッテリーの検知された有効期限に基づいて客先への出荷又は前記診断手段への搬送を実行する搬送部とを備えることを特徴とする保管管理システム。
【００４９】
（付記２）前記電気・電子部品にバッテリーの製造年月、寿命、アラーム出力年月、部品名称、部品仕様及び版数のうちいずれか複数を記録するＲＦＩＤを前記バッテリーに少なくとも搭載し、前記保管手段が、前記診断手段からの前記電気・電子部品の受付時にバッテリーの前記寿命情報を前記ＲＦＩＤの記録内容に基づいて記録及び蓄積することを特徴とする付記１に記載の保管管理システム。
【００５０】
（付記３）前記診断手段が、寿命日の所定期間前の前記電気・電子部品に対して前記有効期限検知部が検出したバッテリーの交換時期に基づいて、当該電気・電子部品に搭載可能な新規バッテリーの手配を行う新規バッテリー手配部を備えることを特徴とする付記２に記載の保管管理システム。
【００５１】
（付記４）前記診断手段が、前記新規バッテリーの手配による入荷に基づいて当該新規バッテリーの搭載を予定する前記電気・電子部品の出荷依頼を前記保管手段へ出力し、当該新規バッテリーの搭載を完了した前記電気・電子部品を前記保管手段へ搬送し、ＲＦＩＤに記録された情報のうち当該新規バッテリーの搭載に伴い更新された情報を更新することを特徴とする付記３に記載の保管管理システム。
【００５２】
（付記５）前記保管手段が、保管中の前記電気・電子部品におけるバッテリー状態を前記診断手段に対して診断の実行を指令し、当該診断結果に基づいて内容を更新されたＲＦＩＤとともに前記診断手段からの前記電気・電子部品を受付けることを特徴とする付記４に記載の保管管理システム。
【００５３】
（付記６）バッテリーを搭載した電気・電子部品が搬入され、当該電気・電子部品の電気特性を診断工程が診断した後に保管工程に保管する保管管理方法において、前記診断工程が、前記電気・電子部品を受付け、当該電気・電子部品に搭載されたバッテリーの状態を診断し、当該診断の結果に基づいて当該バッテリーの充電及び／又は交換による改善対処を実施し、当該診断及び／又は当該改善対処の結果を更新登録し、前記保管工程が、前記診断工程から前記電気・電子部品を受付けて管理し、当該電気・電子部品に搭載されたバッテリーの寿命情報を管理し、当該寿命情報に基づいて当該バッテリーの有効期限を検知し、前記電気・電子部品について客先からの出荷要求があった場合に、当該バッテリーの検知された有効期限に基づいて客先への出荷又は前記診断手段への搬送を実行することを特徴とする保管管理方法。
【００５４】
（付記７）前記電気・電子部品にバッテリーの製造年月、寿命、アラーム出力年月、部品名称、部品仕様及び版数のうちいずれか複数を記録するＲＦＩＤを前記バッテリーに少なくとも搭載し、前記保管工程が、前記診断工程からの前記電気・電子部品の受付時にバッテリーの前記寿命情報を前記ＲＦＩＤの記録内容に基づいて記録及び蓄積することを特徴とする付記６に記載の保管管理方法。
【００５５】
（付記８）前記診断工程が、寿命日の所定期間前の前記電気・電子部品に対して前記有効期限検知部が検出したバッテリーの交換時期に基づいて、当該電気・電子部品に搭載可能な新規バッテリーの手配を行う新規バッテリー手配部を備えることを特徴とする付記７に記載の保管管理方法。
【００５６】
（付記９）前記診断工程が、前記新規バッテリーの手配による入荷に基づいて当該新規バッテリーの搭載を予定する前記電気・電子部品の出荷依頼を前記保管工程へ出力し、当該新規バッテリーの搭載を完了した前記電気・電子部品を前記保管工程へ搬送し、ＲＦＩＤに記録された情報のうち当該新規バッテリーの搭載に伴い更新された情報を更新することを特徴とする付記８に記載の保管管理方法。
【００５７】
（付記１０）前記保管工程が、保管中の前記電気・電子部品におけるバッテリー状態を前記診断工程に対して診断の実行を指令し、当該診断結果に基づいて内容を更新されたＲＦＩＤとともに前記診断工程からの前記電気・電子部品を受付けることを特徴とする付記９に記載の保管管理方法。
【００５８】
（付記１１）バッテリーを搭載した電気・電子部品が搬入され、当該電気・電子部品の電気特性を診断手段が診断した後に保管手段に保管するようにコンピュータを機能させる保管管理プログラムにおいて、前記診断手段が、前記電気・電子部品を受付ける部品受付部と、当該電気・電子部品に搭載されたバッテリーの状態を診断する状態診断部と、当該診断の結果に基づいて当該バッテリーの充電及び／又は交換による改善対処を実施する改善対処部と、当該診断及び／又は当該改善対処の結果を更新登録する更新登録部としてコンピュータを機能させ、前記保管手段が、前記診断手段から前記電気・電子部品を受付けて管理する受付管理部と、当該電気・電子部品に搭載されたバッテリーの寿命情報を管理する寿命管理部と、当該寿命情報に基づいて当該バッテリーの有効期限を検知する有効期限検知部と、前記電気・電子部品について客先からの出荷要求があった場合に、当該バッテリーの検知された有効期限に基づいて客先への出荷又は前記診断手段への搬送を実行する搬送部としてコンピュータを機能させることを特徴とする保管管理プログラム。
【００５９】
（付記１２）前記電気・電子部品にバッテリーの製造年月、寿命、アラーム出力年月、部品名称、部品仕様及び版数のうちいずれか複数を記録するＲＦＩＤを前記バッテリーに少なくとも搭載し、前記保管手段が、前記診断手段からの前記電気・電子部品の受付時にバッテリーの前記寿命情報を前記ＲＦＩＤの記録内容に基づいて記録及び蓄積することを
特徴とする付記１１に記載の保管管理プログラム。
【００６０】
（付記１３）前記診断手段が、寿命日の所定期間前の前記電気・電子部品に対して前記有効期限検知部が検出したバッテリーの交換時期に基づいて、当該電気・電子部品に搭載可能な新規バッテリーの手配を行う新規バッテリー手配部としてコンピュータを機能させることを特徴とする付記１２に記載の保管管理プログラム。
【００６１】
（付記１４）前記診断手段が、前記新規バッテリーの手配による入荷に基づいて当該新規バッテリーの搭載を予定する前記電気・電子部品の出荷依頼を前記保管手段へ出力し、当該新規バッテリーの搭載を完了した前記電気・電子部品を前記保管手段へ搬送し、ＲＦＩＤに記録された情報のうち当該新規バッテリーの搭載に伴い更新された情報を更新することを特徴とする付記１３に記載の保管管理プログラム。
【００６２】
（付記１５）前記保管手段が、保管中の前記電気・電子部品におけるバッテリー状態を前記診断手段に対して診断の実行を指令し、当該診断結果に基づいて内容を更新されたＲＦＩＤとともに前記診断手段からの前記電気・電子部品を受付けることを特徴とする付記１４に記載の保管管理プログラム。
【図面の簡単な説明】
【００６３】
【図１】本発明の第１の実施形態に係る保管管理システムの構成を示すブロック図
【図２】本発明の第１の実施形態に係る保管管理システムのデータ例
【図３】本発明の第１の実施形態に係る保管管理システムの電気・電子部品の構成図
【図４】本発明の第１の実施形態に係る保管管理システムの入庫時のフローチャート
【図５】本発明の第１の実施形態に係る保管管理システムの保管中のフローチャート
【図６】本発明の第１の実施形態に係る保管管理システムのバッテリー残量確認のフローチャート
【図７】本発明のその他の実施形態に係る保管管理システムのデータ例
【符号の説明】
【００６４】
１  診断センター
１１  部品受付部
１２  状態診断部
１３  改善対処部
１４  更新登録部
１５  診断情報
１６  新規バッテリー手配部
２  保管センター
２１  受付管理部
２２  寿命管理部
２３  寿命情報
２４  有効期限検知部
２５  出荷受付部
２６  搬送部
３０  電気・電子部品
３１  バッテリー
３２  ＲＦＩＤ
【図１】
2009237761.tif 000003
【図２】
2009237761.tif 000004
【図３】
2009237761.tif 000005
【図４】
2009237761.tif 000006
【図５】
2009237761.tif 000007
【図６】
2009237761.tif 000008
【図７】
2009237761.tif 000009